(57)【要約】      （修正有）【課題】模様がしっかりと表面に刻まれ、内層球体壁の厚みが均等で、重心が偏らない野球ボールを提供する。【解決手段】二つの半球型の内層球体と半球型外層殻で複合成形し、ゴム材料を半球型模型に入れて加熱加圧して半球型内層球体に成形し、半球型内層球体を二つ作り中に発泡剤を入れ、第一の圧合加熱内層模型に設け、縁に糊付けして定型加熱加圧を施して球体に成形し、二つの半球型外層殻を設けた第二の圧合成形外層模型に成形した内層球体を設け、蓋合わせ状に結合して加圧成形し、最後に内層球体を包み込んだ外層殻を更に第三の圧合加熱外層成形模型の中に入れ、蓋合わせ状に結合して加熱、加圧し、内層球体内にある発泡剤が化学変化で膨張し、内層球体、外層殻及び第三の圧合加熱外層成形模型をしっかりと抵触させ、内層球体の併合線と外層殻の併合線をずらした野球ボール。  【選択図】  図１７
0003138289.tif 000002
【実用新案登録請求の範囲】
【請求項１】
厚み、重さ及び硬度の一致した二つの半球型内層球体及び二つの半球型外層殻を含み、
該二つの半球型内層球体の中に発泡剤を入れて併合し、該二つの半球型外層殻の中に設置して成形した後、第三の圧合加熱外層成形模型に入れて加熱、加圧成形時に、内層球体内に入れた発泡剤が膨張し、内層球体、外層殻及び第三圧合加熱外層成形模型をしっかりと抵触し、丸く膨らませ、ボールの壁の厚みを均等にすることを特徴とする野球ボールの構造。
【請求項２】
前記二つの半球型内層球体を併合する際、縁に糊付けすることを特徴とする請求項１記載の野球ボールの構造。
【請求項３】
前記二つの半球型内層球体を併合する際、縁に糊付けしないことを特徴とする請求項１記載の野球ボールの構造。
【請求項４】
前記二つの半球型内層球体を組み合わせて構成する際の併合線と、二つの半球型外層殻を組み合わせて構成する際の併合線をずらすことを特徴とする請求項１記載の野球ボールの構造。
【請求項５】
前記二つの半球型内層球体を組み合わせて構成する際の併合線と、二つの半球型外層殻を組み合わせて構成する際の併合線を垂直に交わることを特徴とする請求項１記載の野球ボールの構造。
【考案の詳細な説明】
【技術分野】
【０００１】
本考案は、野球ボールの構造の改良に関し、野球ボールの球体壁の厚みが均等となり、重心がバランスを保つことのできる野球ボールの改良構造に関する。
【背景技術】
【０００２】
従来技術の野球ボールの構造は、硬度の異なる内外層の球体を複合成型する。
図１〜図８に示すように、内層球体は、主に二枚の平らなプレイト或いは８の字
形のゴム材料ａを一つ目の成型模型ｂに入れて、二つの半球型内層に成型した後、その中に発泡剤ｃを入れる。凹凸が不均等な二つの半球型内層aを更に、二つの半球型外層殻dを入れた二つ目の成型模型ｅの中に入れ、蓋合わせ状に結合してから加熱、加圧を行うことで、半球型内層の中にある発泡剤ｃが化学変化を起こし、二つ目の成型模型の中で十分に膨張する。上述の構造設計の中で、半球型内層は、二つ目の成型模型の形に合わせて、発泡剤の膨張により成型する。同時に二つ目の成型模型の内壁にある模様が、膨張による抵触により、野球ボールの外観に浮き模様が刻まれる。
【０００３】
この従来技術により製造する球体は、ほぼその外観の球体形状を維持することはできるが、該内部のゴム材料の膨張が均等になるよう、コントロールすることができない。圧力が不均等のためか、球体壁の厚みが不均等となることがあり、併接箇所の外観に突起現象が起こりやすい。成型模型の限られた空間により、反対側の成型模型は内側にくぼんだ形となる球体は、予想のつかない変化性を持ち、併合線の部分が裂けることがある。
また、該ボールを使用する際、投げる間の飛行ルートや、落下するときに不安定且つ不規則なバウンドの動きをする。この類の問題は、実際存在してはならないものであり、特にボールをコントロールするのが最重要視とされるピッチャーにとって、前記構造の瑕疵は、ボールをコントロールする上で失敗する本当の原因となる可能性が高いため、従来技術を改善する必要があった。
【特許文献１】特開２００７−９７８６８号公報
【特許文献２】特開平８−５７０８５号公報
【考案の開示】
【考案が解決しようとする課題】
【０００４】
本考案は、従来の野球ボールの球体壁の厚みが一致しない問題を解決するためになされたもので、野球ボールの球体壁の厚みを一致させ、ユーザーがボールを使用する際、飛行ルート及び落下着地するときの安定性を保ち、非人為的な不規則なバウンドを避ける野球ボールを提供することにある。
【課題を解決するための手段】
【０００５】
前記課題を解決するために、請求項１の考案は、厚み、重さ及び硬度の一致した二つの半球型内層球体及び二つの半球型外層殻を含み、該二つの半球型内層球体の中に発泡剤を入れて併合し、該二つの半球型外層殻の中に設置して成形した後、第三の圧合加熱外層成形模型に入れて加熱、加圧成形時に、内層球体内に入れた発泡剤が膨張し、内層球体、外層殻及び第三圧合加熱外層成形模型をしっかりと抵触し、丸く膨らませ、ボールの壁の厚みを均等にすることを特徴とする野球ボールの構造である。
請求項２の考案は、前記二つの半球型内層球体を併合する際、縁に糊付けすることを特徴とする請求項１記載の野球ボールの構造である。
請求項３の考案は、前記二つの半球型内層球体を併合する際、縁に糊付けしないことを特徴とする請求項１記載の野球ボールの構造である。
請求項４の考案は、前記二つの半球型内層球体を組み合わせて構成する際の併合線と、二つの半球型外層殻を組み合わせて構成する際の併合線をずらすことを特徴とする請求項１記載の野球ボールの構造である。
請求項５の考案は、前記二つの半球型内層球体を組み合わせて構成する際の併合線と、二つの半球型外層殻を組み合わせて構成する際の併合線を垂直に交わることを特徴とする請求項１記載の野球ボールの構造である。
【０００６】
すなわち、本考案は、主に野球ボールを二つの半球型内層球体と、二つの半球体外層殻の材質を複合成形する。長方形或いは円柱形のゴム材料を使い、半球型模型で加熱、加圧して一つの半球型内層球体を製造し、完成した二つの半球型内層球体の中に発泡剤を入れる。該発泡剤を入れた二つの半球型内層球体を第一の加熱内層模型に入れ、糊付けして併合し、加熱、加圧することで、一つの内層球体に完成する。完成した内層球体を更に、二つの半球型外層殻をセットした、第二の成形外層模型に入れ、蓋合わせ状に結合して加圧成形する。最後に内層球体を内部に包んだ外層殻を更に第三の加熱外層成形模型に入れ、蓋合わせ状に結合してから加熱、加圧することで、内層球体内に入れた発泡剤が化学変化を起こして膨張し、内層球体と外層殻及び第三加熱外層成形模型をしっかりと抵触する。その時、膨張による抵触により、第三加熱外層成形模型の内壁にある模様がしっかりと外層殻の表面に刻まれる。内層球体を外層殻にセットするとき、内層球体の併合線を外層殻の併合線と互いに垂直にすることで、ボールの壁の厚みが均等化し、該重心はバランスを保つため、従来技術のように厚みが不均等により、重心が傾くために起こる不規則なバウンドが起こる現象を無くす。
【考案の効果】
【０００７】
本考案によれば、長方形或いは円柱型のゴム材料を使い、半球型の球体をそれぞれ成形模型で完成してから設置併合し、更に発泡剤を投入した内層球体及び、それを包み込んだ外層殻を第三の加熱外層成形模型入れて圧合加熱することで、発泡剤が化学変化を起して膨張、内層球体と外層殻及び第三加熱外層成形模型をしっかりと抵触することで、均一した壁の厚みとなり、内層球体及び外層殻の併合線を垂直に交わることにより、バランスが保ち、ボールの壁の厚みも均等であるため、重心が傾き、不規則なバウンドが起こることがなく、よりボールをコントロールしやすくなる。
【考案を実施するための最良の形態】
【０００８】
本考案の好適な野球ボールの構造の実施例を明確に示すために、図に沿って詳細な説明を行う。
図９〜図１９に示すように、本考案の実施例の構造設計において、主に野球ボールを均等な厚み、同じ重さ、及び同じ硬度を持つ二つの半球型内層球体(10)(20)と、二つの半球型外層殻(30)(40)を複合して成形する。
図９から図１４に示すように、二つの半球型内層球体(10)(20)の製造において、まず硫黄を加えずに熟成した長方形型或いは円柱型のゴム材料(1)(図１参照)を、図１０〜図１２に示すように、一つの半球型模型(60)に入れて加熱加圧し、二つの半球型内層球体(10)(20)を製造する。この二つの半球型内層球体(10)(20)は同じ加熱加圧の方法で成形しているため、二つとも同じ厚みと重さ、硬度の一致したハイクォリティな二つの半球型内層球体(10)(20)となる。
図１３に示すように、前記二つの半球型内層球体(10)(20)に適量の発泡剤(50)(例えば：ジニトロソペンタメチレンテトラミン)を入れた後、図１４に示すように、第一の圧合加熱内層模型(70)の中に入れ、併合して縁に糊付けして定型加熱、加圧し、一つの球体に完成する。
【０００９】
図１５から図１９に示すように、前記一つの球体になった内層球体(10)(20)を、二つの半球型外層殻(30)(40)をセットした第二の圧合成形外層模型(80)に入れ、蓋合わせ状に結合して加圧成形する。最後に内層球体(10)(20)を包み込んだ外層殻(30)(40)を更に第三の圧合加熱外層成形模型(90)の中に入れて、蓋合わせ状に結合してから加熱、加圧することで、内層球体(10)(20)の中に入れた発泡剤(50)が化学変化が起こして膨張し、内層球体(10)(20)及び外層殻(30)(40)を押し、第三の圧合加熱外層成形模型(90)をしっかりと抵触して、野球ボールの組み合わせが完成する。同時に、膨張による抵触により、第三の加熱外層成形模型(90)の内壁にある模様がしっかりと外層殻の表面に刻まれる。第三の該圧合加熱外層成形模型(90)が蓋合わせ状に結合して加熱、加圧成形する過程で、内層球体(10)(20)内に入れた発泡剤(50)が熱を受けて化学変化を起こし、発泡剤(50)が膨張することで、大量の気体が発生し、内層球体(10)(20)及び外層殻(30)(40)を抵触することで、それらを包み込む第三の加熱外層成形模型(90)をもしっかりと抵触する。有効的に内層球体(10)(20)及び外層殻(30)(40)を丸く膨らますだけでなく、外層殻(30)(40)の外層が、第三の圧合加熱外層成形模型(90)の内壁にある模様が刻まれ、浮き模様を形成する。更に重要なことは、二つの半球型内層球体(10)(20)及び、二つの半球型外層殻(30)(40)の壁の厚みは均等になることである。
【００１０】
上述の構造の設計では、二つの半球型内層球体(10)(20)と二つの半球型外層殻(30)(40)は、第三の圧合加熱外層成形模型(90)を使って成形する。発泡剤(50)が加熱加圧成形時に膨張し、有効的に内層球体(10)(20)及び外層殻(30)(40)及び第三の圧合加熱外層成形模型(90)をしっかりと抵触して丸く膨れるため、内層球体(10)(20)及び外層殻(30)(40)の壁の厚みが、均一の厚みを保つ。構造の強度について、本考案の組立成形作業では、内層球体(10)(20)の併合線と外層殻(30)(40)の併合線を、垂直に交差或いは適切な角度でずらした状態にすることで、該構造の強度を維持することができる。
【００１１】
以上のように、野球ボールの構造において、二つの半球型の内層球体と、二つの半球型外層殻の材質を複合成型し、二つの半球型内層球体に発泡剤を入れてから、第一の圧合加熱内層模型の中に入れ、縁に糊付けして定型加熱、加圧することで、一つの球体を作る。
この球体に成形した内層球体を、既に半球型外層殻を入れた第二の圧合成形外層模型に入れ、蓋合わせ状に結合してから加圧成形する。更に、内層球体を包み込んだ外層殻を第三の圧合加熱外層成形模型に入れ、蓋合わせ状に結合してから加熱、加圧することで、内層球体内に入れた発泡剤が化学変化を起こして膨張し、内層球体及び外層殻を抵触し、第三圧合加熱外層成形模型ともしっかりと抵触して野球ボールの組立が完了する。
このような野球ボールは、球体壁の厚みが均等となり、重心がバランスを保つことのできる野球ボールの改良された構造で、同時に、第三の圧合加熱外層成形模型の内壁の模様がしっかりと該ボールの表面に形成し、二つの半球型内層球体を二つの半球型外層殻に入れたとき、該内層球体の併合線と外層殻の併合線を互いにずらした状態にすることで、組立てられた野球ボールの構造は、該球体壁の厚みが均等となり、バランスのとれた重心を保つことができる。
【００１２】
したがって、本考案の実施例の野球ボールの壁の厚みを均等に維持することが、野球ボールの重心をバランスの良い状態に保つことにもつながる。重量の不均等及び重心が偏る現象を無くしたことで、ユーザーが該野球ボールを使用する際、投げた後及び着地するときに、安定した状態を維持し、非人為的な不規則なバウンドが出ることがなく、また、キャッチャーがボールをコントロールする際、非人為的な要素を全て排除しているため、完全にキャッチャーが変化球などボールの変化を自由自在に把握することができる。
なお、本考案の特徴を損なうものでなければ、上述した実施例に限定されないことは勿論である。
【図面の簡単な説明】
【００１３】
【図１】従来技術のプレイト型ゴム材料の略図である。
【図２】従来技術の野球ボールの組立作業の略図(一)である。
【図３】従来技術の野球ボールの組立作業の略図(二)である。
【図４】従来技術の野球ボールの組立作業の略図(三)である。
【図５】従来技術の野球ボールの組立作業の略図(四)である。
【図６】従来技術の野球ボールの断面略図(一)である。
【図７】従来技術の野球ボールの断面略図(二)である。
【図８】従来技術の野球ボールの組立完成略図である。
【図９】本考案の実施例の円柱型ゴム材料の略図である。
【図１０】本考案の実施例の野球ボールの組立作業略図(一)である。
【図１１】本考案の実施例の野球ボールの組立作業略図(二)である。
【図１２】本考案の実施例の野球ボールの組立作業略図(三)である。
【図１３】本考案の実施例の野球ボールの組立作業略図(四)である。
【図１４】本考案の実施例の野球ボールの組立作業略図(五)である。
【図１５】本考案の実施例の野球ボールの組立作業略図(六)である。
【図１６】本考案の実施例の野球ボールの組立作業略図(七)である。
【図１７】本考案の実施例の野球ボールの断面略図(一)である。
【図１８】本考案の実施例の野球ボールの断面略図(二)である。
【図１９】本考案の実施例の野球ボールの組立完成略図である。
【符号の説明】
【００１４】
1    ゴム材料
10  半球型内層
20  半球型内層
30  半球型外層
40 半球型外層
50  発泡剤
60 半球型模型
70  第一の圧合加熱内層模型
80  第二の圧合成形外層模型
90  第三の圧合加熱外層成形模型  
【図１】
0003138289.tif 000003
【図２】
0003138289.tif 000004
【図３】
0003138289.tif 000005
【図４】
0003138289.tif 000006
【図５】
0003138289.tif 000007
【図６】
0003138289.tif 000008
【図７】
0003138289.tif 000009
【図８】
0003138289.tif 000010
【図９】
0003138289.tif 000011
【図１０】
0003138289.tif 000012
【図１１】
0003138289.tif 000013
【図１２】
0003138289.tif 000014
【図１３】
0003138289.tif 000015
【図１４】
0003138289.tif 000016
【図１５】
0003138289.tif 000017
【図１６】
0003138289.tif 000018
【図１７】
0003138289.tif 000019
【図１８】
0003138289.tif 000020
【図１９】
0003138289.tif 000021